(57)【要約】【課題】  光記録媒体用の記録又は再生装置のピックアップ（Ｕ）のためのトラッキングを、特に費用削減できるように設計すること。【解決手段】  上記目的のために、どのような場合でも備えられなければならない基板（Ｐ）、例えばマザーボードの、１つのエッジ（Ｋ１）が、１つ又は２つのガイドロッドの代わりに備えられ、ピックアップ（Ｕ）をガイドする。このエッジ（Ｋ１）は、好ましくは、折り曲げエッジとして形成され、ピックアップ（Ｕ）に対するガイドレール（Ｓ）を形成し、該ピックアップ（Ｕ）は、例えばＵ型のリブ（Ｒ）によって、ガイドレール（Ｓ）とかみ合う。ピックアップ（Ｕ）は、好ましくは、板ばね（Ｆ１）によって滑る又は動くことができ、該板ばね（Ｆ１）は、基板（Ｐ）の裏でかみ合い、該基板（Ｐ）上のガイドレール（Ｓ）に、あそびなしで結合される。【選択図】  図２
2005302285.tif 000002
【特許請求の範囲】
【請求項１】
電子部品を保持する基板（Ｐ）と、光記録媒体にデータを記録し又は光記録媒体からデータを読み出す可動ピックアップ（Ｕ）とを有する記録又は再生装置において、
前記基板（Ｐ）の１つのエッジ（Ｋ１）が、前記ピックアップ（Ｕ）に対するガイド要素として備えられることを特徴とする記録又は再生装置。
【請求項２】
前記基板（Ｐ）上のガイド要素として備えられる前記エッジ（Ｋ１）は、ガイドレール（Ｓ）であることを特徴とする請求項１に記載の記録又は再生装置。
【請求項３】
前記ガイドレール（Ｓ）は、前記基板（Ｐ）の折り曲げエッジであることを特徴とする請求項２に記載の記録又は再生装置。
【請求項４】
前記ガイドレール（Ｓ）は、ガイド要素として備えられる前記基板（Ｐ）の前記エッジ（Ｋ１）に取り付けられることを特徴とする請求項２に記載の記録又は再生装置。
【請求項５】
前記ガイドレール（Ｓ）は、プラスチックから製造され、前記基板（Ｐ）にスプレーされることを特徴とする請求項４に記載の記録又は再生装置。
【請求項６】
前記ガイドレール（Ｓ）は、前記基板（Ｐ）に接着接合されることを特徴とする請求項４に記載の記録又は再生装置。
【請求項７】
ガイド要素が、前記ピックアップ（Ｕ）上に備えられ、該ガイド要素は、前記ガイドレール（Ｓ）を囲むＵ型のリブ（Ｒ）の形状をとることを特徴とする請求項１から６のいずれか１項に記載の記録又は再生装置。
【請求項８】
板ばね（Ｆ１）が、前記ピックアップ（Ｕ）に取り付けられ、該板ばね（Ｆ１）は、前記基板（Ｐ）の裏でかみ合い、前記ピックアップ（Ｕ）を滑らせ又は動かすことができ、且つあそびなしで前記基板（Ｐ）に結合することを特徴とする請求項１に記載の記録又は再生装置。
【請求項９】
平行に走る少なくとも２つのエッジ（Ｋ１、Ｋ２）を有する切り抜き（Ａ）が、前記基板（Ｐ）内に備えられ、１つのエッジ（Ｋ１）は、ガイドレール（Ｓ）として備えられ、前記ピックアップ（Ｕ）は、少なくとも１つの第２の板ばね（Ｆ２）によって滑る又は動くことができ、且つあそびなしで前記切り抜き（Ａ）の他方のエッジ（Ｋ２）に取り付けられることを特徴とする請求項１から８のいずれか１項に記載の記録又は再生装置。
【請求項１０】
前記基板（Ｐ）は、金属又はプラスチックから製造されることを特徴とする請求項１から９のいずれか１項に記載の記録又は再生装置。
【発明の詳細な説明】
【技術分野】
【０００１】
本発明は、光記録媒体用の記録又は再生装置に関し、該装置は、電子部品を保持する、メカデッキとも呼ばれる基板と、ピックアップとも呼ばれる可動光走査装置とを有し、該可動光走査装置は、光記録媒体にデータ又は情報を記録し若しくは光記録媒体からデータ又は情報を読み出すために備えられ、ほとんど複雑でないにもかかわらず、記録媒体の面に平行に、高い精度でガイドされる。
【背景技術】
【０００２】
これらのような記録又は再生装置の例として、ピックアップと称される光走査装置を備えたＣＤ又はＤＶＤプレーヤがあり、ピックアップは、コンパクトディスク−略してＣＤ−又はデジタル汎用ディスク−略してＤＶＤ−といった光記録媒体からデータを読み出す、又はそのような記録媒体にデータや情報を記録する。ピックアップは、ディスクの形状をとる記録媒体の１又は複数のデータトラックの上方に位置され、粗設定を用いるか、必要であれば細設定のための細ドライブを備える。ピックアップは、ディスクの形状をとる記録媒体の上方で、半径方向に移動させられ、例えば該ピックアップに取り付けられた歯型ロッドから形成される粗ドライブと、その歯型ロッドとかみ合い、電子モータによって駆動されるギアホイールとを用いる。フラットであると想定される記録媒体の記録又は再生領域全体に渡って、できるだけ平行にピックアップがガイドされることを保証するために、一般に、少なくとも１つのガイドロッドが備えられ、そのロッドは、基板上に実装されるか又はハウジングに装着され、そのロッド上で、ピックアップがガイドされる。
【発明の開示】
【発明が解決しようとする課題】
【０００３】
しかし、ピックアップをガイドするガイドロッドは、高い精度で基板上に据え付けられなければならない複雑な個別部品であるので、本発明の目的は、光記録媒体用の記録又は再生装置のピックアップのガイドを、高い正確性で、且つ少ない数の個別部品で設計することである。
【０００４】
本発明は、請求項１で記述される特徴によってこの目的を達成する。好ましい改良点は、従属請求項で記述される。
【課題を解決するための手段】
【０００５】
本発明は、いかなる場合でも備えられる基板、いわゆるメカデッキのマザーボードの１つのエッジを、ガイドロッドの代わりに、ピックアップのガイド要素として備えるという考えに基づいている。１つの実施例においては、ガイド要素として備えられる基板のエッジを、金属から製造される基板と結合したガイドレールの形状で備える。このガイドレールは、例えば、基板の１つのエッジを直角に曲げることによって製造される。この代替案として、ガイドレールがプラスチックから製造され、金属若しくはプラスチックから製造された基板の上にスプレーされる、又は基板に接着接合されてもよい。ガイド要素は、同様にピックアップ上にも備えられ、基板上のガイド要素とかみ合う。例えば、このガイド要素は、ガイドレールを囲むリブの形状をとり、すなわち反対側の支持手段としてのばねを備えるスライド要素である。好ましくは、少なくとも２つの平行に走るエッジを備える切り抜きを有する基板を設計する。ガイドレールは、２つのエッジのうちの１つ、ガイドエッジ上に備えられる。平行に走る、切り抜きの他方のエッジは、ピックアップを保持する第２のガイドエッジとして備えられ、適切に設計される。
【０００６】
ピックアップに取り付けられ、ガイドレール上に基板の裏でかみ合う、少なくとも１つの第１の板ばねによって、ピックアップは、一方で滑ることができ、にもかかわらず、他方では、あそびなしで基板に結合される。更に、ピックアップは、第２の板ばねによっても同様に滑る又は動くことができ、にもかかわらず、あそびなしで第２のガイドエッジに結合される。
【０００７】
ピックアップに対するガイド要素として、ガイドロッドの代わりに基板の１つのエッジが備えられるので、個別部品の数が削減され、組立の手間が省け、にもかかわらず、ピックアップが高い精度でガイドされることが保証される。フラットであると想定される記録媒体の記録又は再生領域全体に渡って、ピックアップが平行にガイドされることを保証するために、光記録媒体を保持するディスクの面が、ピックアップを形成する面に対して位置調整され、ピックアップは、ディスクの形状をとる記録媒体の記録又は再生領域に渡る動きの間、基板のエッジ上でガイドされる。
【発明を実施するための最良の形態】
【０００８】
図の参照記号は、対応して用いられる。分解図の形で表された図１の実施例は、基板Ｐを示し、該基板Ｐは、メカデッキのマザーボードと呼ばれ、例えば金属から製造される。基板Ｐは、少なくとも２つの平行なエッジＫ１及びＫ２を備える切り抜きＡを有し、その１つのエッジＫ１は、ガイドレールＳの形状をとる。図の実施例では、ガイドレールＳは、基板Ｐの直角に曲げられた折り曲げエッジで形成され、ピックアップＵに対する基板Ｐ上のガイド要素となっている。
【０００９】
ガイド要素は、ピックアップＵ上にも同様に備えられ、図の実施例において、２つのＵ型のリブＲで形成されており、リブＲは、ピックアップＵが基板Ｐ上に装填されると、ガイドレールＳとかみ合う。図の実施例において、板ばねＦ１も備えられ、ピックアップＵに取り付けられ且つ基板Ｐの裏でかみ合う。従って、ピックアップＵは滑る又は動くことができる、にもかかわらず、あそびなしで基板Ｐに結合される。同様に、ピックアップＵは、第２のガイドエッジの形状をとるエッジＫ２上で滑る又は動くことができ、更なる板ばねＦ２を用いてあそびなしでエッジＫ２上でガイドされる。一実施形態によると、図示されていないが、ガイドレールＳが、例えばエッジＫ１を２度曲げることによってＵ型になるように設計され、Ｕ型のリブＲ上のタブが、Ｕ型のガイドエッジＫ１でかみ合う。そして、ばね要素が、Ｕ型のリブＲ上又はＵ型のガイドエッジに備えられ、ガイドレールＳとして備えられるスライド表面に対して弾力的にガイド要素を押圧する。図の実施例に関連して、図２は、基板Ｐ上に装填されたピックアップＵを、該ピックアップＵ上のリブＲと共に透視図で示した図であり、リブＲが、ガイド要素として備えられ、基板Ｐ上のガイドレールＳとかみ合っている。ガイドレールＳは、ガイドリブＲによってＵ型に囲まれている。これは特に、図４の断面図から明らかであり、基板Ｐの曲げられたエッジＫ１を表し、エッジＫ１は、ピックアップＵ上のリブＲで形成される、ピックアップＵのＵ型開口部でかみ合う。図の実施例では、ピックアップＵ上にリブＲが備えられ、Ｕ型のリブＲの１つのリムの端表面に対応しながら基板Ｐ上を滑る。一実施例において、図示されていないが、ピックアップＵが、基板Ｐ上のガイドレールＳの端表面を滑るように、備えられる。このような実施例に対応して、ピックアップＵは、ピックアップＵのＵ型開口部のベースで滑り、Ｕ型開口部は、ピックアップＵ上にリブＲで形成される。
【００１０】
図３は、一実施例の第２の部分的詳細図を透視図の形で表したものである。この図は、ピックアップＵに取り付けられている板ばねＦ１が、どのようにしてピックアップＵを滑らせる又は動かせるかを示しており、板ばねＦ１は、基板Ｐの裏でかみ合い、折り曲げエッジＫ１上で、あそびなしで基板Ｐに結合される。板ばねＦ１を取り付けるために、ピックアップＵ上にＴ型ラッチング要素Ｔが備えられ、該ラッチング要素Ｔは、板ばねＦ１の厚さに対応するシャフトの高さ、及び、板ばねＦ１に備えられるＵ型開口部に対応するシャフトの幅を有する。板ばねＦ１は、Ｕ型開口部とは反対側で、階段状に折り曲げられており、その結果、ラッチング要素Ｔへの取り付けと共に、板ばねＦ１は安定して固定される。リブＲの接触圧力をできるだけ均一にするために、ラッチング要素Ｔ及び板ばねＦ１は、基板ＰのエッジＫ１上でピックアップＵをガイドするリブＲに対してその中央に配置される。滑る及び動く機能を備えるため、及び、エッジＫ１とは反対のエッジＫ２上で、あそびなしでピックアップＵをガイドするために、第２の板ばねＦ２が実施例で備えられ、側面上に伸びるばねアームを有する。このばねアームは、板ばねＦ２のベース表面に対し角度を有して位置されるので、板ばねＦ２は、基板Ｐ上に２つの接触点を形成する。ばねアームの端は、基板Ｐの表面上を滑る機能を保証するために、湾曲している。同様に、第２の板ばねＦ２を取り付けるために、ばねアームの反対側にＵ型の切り抜きが備えられ、ピックアップＵ上に備えられる保持要素を囲む。更に、板ばねＦ２に穴が備えられ、該穴にピックアップＵ上のラッチングタブをかみ合わせること、又はバリアによって板ばねＦ２がピックアップＵに取り付けられることによって、板ばねＦ２のねじれを防ぐ。
【００１１】
第１の板ばねＦ１及び第２の板ばねＦ２は、基板Ｐ上にピックアップＵを装填するためにオプションで用いられる、ばね要素の例を示したものであり、（第１の板ばねＦ１よりも複雑である）第２の板ばねＦ２は、好ましくは、基板Ｐの第２のエッジＫ２上で用いられ、そこでは、ピックアップＵの１つのガイド要素のみが用いられる。ガイドレールＳの形状であるエッジＫ１は、それ自身で基板Ｐに対し十分な強さを備えるので、通常は第２のエッジＫ２を曲げる必要はない。第２のエッジＫ２の平面の不規則性は、第２の板ばねＦ２のばねアームによって補償される。
【００１２】
図４は、前記実施例の部分断面図であり、ピックアップＵが基板Ｐ上に装填され、板ばねＦ１、Ｆ２によって基板Ｐ上に保持されている。
【００１３】
ピックアップＵは、Ｕ型のリブＲによってガイドレールＳに沿ってガイドされ、該リブＲは、基板ＰのガイドレールＳをＵ型に囲み、基板Ｐの裏でかみ合う板ばねＦ１によって滑る又は動くことができ、且つあそびなしで保持される。ピックアップＵは、板ばねＦ２によって滑る又は動くことができ、第１のエッジＫ１に平行に走る基板Ｐの第２のエッジＫ２にあそびなしで取り付けられる。
【００１４】
本発明は、ガイドロッドではなく、どの場合でも必要な基板Ｐの、容易に修正される少なくとも１つのエッジＫ１が、ピックアップＵに対するガイド要素として備えられるので、容易に製造できる。
【図面の簡単な説明】
【００１５】
【図１】本発明の一実施例を分解図で表した図である。
【図２】一実施例の第１の部分的詳細を透視図で表した図である。
【図３】一実施例の第２の部分的詳細を透視図で表した図である。
【図４】一実施例を部分断面図で表した図である。
【符号の説明】
【００１６】
Ｐ  基板
Ｕ  ピックアップ
Ｓ  ガイドレール
Ｒ  リブ
Ｋ１、Ｋ２  エッジ
Ａ  切り抜き
Ｆ１、Ｆ２  板ばね
Ｔ  ラッチング
【図１】
2005302285.tif 000003
【図２】
2005302285.tif 000004
【図３】
2005302285.tif 000005
【図４】
2005302285.tif 000006
【外国語明細書】
2005302285.tif 000007
2005302285.tif 000008
2005302285.tif 000009
2005302285.tif 000010
2005302285.tif 000011
2005302285.tif 000012
2005302285.tif 000013
2005302285.tif 000014
2005302285.tif 000015
2005302285.tif 000016
2005302285.tif 000017
2005302285.tif 000018